【手続補正書】
【提出日】平成18年3月27日(2006.3.27)
【手続補正１】
【補正対象書類名】明細書
【補正対象項目名】全文
【補正方法】変更
【補正の内容】
【書類名】      明細書
【発明の名称】  間仕切り部材および間仕切り
【特許請求の範囲】
【請求項１】  長手方向に沿って凹溝を設けた支持部材と、
前記支持部材の凹溝に嵌入され、前記支持部材の凹溝の壁面に当接する第一脚およびこの第一脚と平行に設けられる第二脚から成る脚部、仕切り部材に当接する保持部、前記支持部材の端面に当接する座部を設けた第一枠部材と、
前記第一枠部材と対向して前記支持部材の凹溝に嵌入される脚部、仕切り部材に当接する保持部、前記支持部材の端面に当接する座部を設けた第二枠部材と
を備え、
前記第一枠部材と前記第二枠部材とは、前記支持部材の凹溝内にそれぞれの脚部を嵌入時に、前記第一枠部材の第一脚が、前記支持部材の凹溝の壁面に圧接し、前記第一枠部材の第二脚が、前記第二枠部材の脚部を前記凹溝に押圧する
ことを特徴とする間仕切り部材。
【請求項２】  請求項１記載の間仕切り部材において、
前記第一枠部材は、断面三角形状の本体部と、この本体部に連接する脚部とを有し、前記本体部には、前記保持部と前記座部とが設けられ、前記脚部は、前記保持部の延長上に位置する第一脚と、前記座部の延長上に位置する連結部を介して前記第一脚と平行に設けられた第二脚とを備えている
ことを特徴とする間仕切り部材。
【請求項３】  請求項１記載の間仕切り部材において、
前記第二枠部材は、断面三角形状の本体部と、この本体部に連接する脚部とを有し、前記本体部には、前記保持部と前記座部とが設けられている
ことを特徴とする間仕切り部材。
【請求項４】  請求項１記載の間仕切り部材において、
前記支持部材は、前記凹溝の壁面にＶ字状溝を長手方向に沿って設け、
前記第一枠部材は、前記第一脚に前記支持部材の凹溝の壁面に設けたＶ字状溝に嵌入するＶ字状の突条を長手方向に沿って設けるとともに前記第二脚に前記第二枠部材を押圧する突条を長手方向に沿って設け、
前記第二枠部材は、前記第二脚の突条により押圧されて前記凹溝に圧接する球形状の突条を先端部に長手方向に沿って設けた脚を設けている
ことを特徴とする間仕切り部材。
【請求項５】  請求項１ないし請求項４の何れか１項記載の間仕切り部材と、
仕切り部材と
を備え、
前記仕切り部材は、前記支持枠部材の凹溝に脚部を嵌入した前記第一枠部材の保持部と、前記第一枠部材の反対側の凹溝に脚部を圧入して組み付けられる前記第二枠部材の保持部とで挟持されている
ことを特徴とする間仕切り。
【請求項６】  請求項１ないし請求項４の何れか１項記載の間仕切り部材と、
仕切り部材と
を備え、
前記支持部材は、天井側および床側に配されるとともに所定の間隔で天井側と床側との間に格子状に配され、天井側および床側との交点が前記凹溝間に連結金具を取り付けることにより連結され、
前記第一枠部材および前記第二枠部材は、組付時にコーナ部において接合するように両端部が４５度に斜めに切断されるとともに、組付時にコーナ部において前記連結金具と当接しないようにそれぞれの脚部が切除され、
前記仕切り部材は、前記支持枠部材の凹溝に脚部を嵌入した前記第一枠部材の保持部と、前記第一枠部材の反対側の凹溝に脚部を圧入して組み付けられる前記第二枠部材の保持部とで挟持されている
ことを特徴とする間仕切り。
【請求項７】  請求項５または請求項６記載の間仕切りにおいて、
前記仕切り部材は、ガラスまたはプラスチックである
ことを特徴とする間仕切り。
【発明の詳細な説明】
【０００１】
【発明の属する技術分野】
本発明は、例えば、クリーンルームのクリーンエリアを確保するためなどに用いられる間仕切り部材およびこれを用いた間仕切りに関する。
【０００２】
【従来の技術】
従来、例えば、クリーンルームにおいては、特開平６−１９３１６１号公報に開示されるように、クリーンエリアを確保するために間仕切りで区画されている。
間仕切りは、複数のパネルを繋いで壁を構成する。その際、各パネル間は、気密を確保するために、シール材、接着剤、固定ビスなどにより接合されている。
【０００３】
【発明が解決しようとする課題】
特開平６−１９３１６１号公報に開示されるように、室内の生産装置の変更やレイアウトの変更などに対し、間仕切りの変更を行うことは、比較的容易に行うことが可能である。
しかし、従来の間仕切りの設置では、仕切り部材をビス止めし、さらにシリコーンシーラによってシールする必要があるため、手間暇を要するという問題があった。
【０００４】
さらに、近年、仕切り部材により区画された部屋相互間を目視できるように、透明なガラス、プラスチックなどの間仕切りを設置する要望が増えている。
この場合にも、通常の間仕切りと同様の処理を必要とするため、従来の間仕切りと同様の不具合があった。
本発明は斯かる従来の問題点を解決するために為されたもので、その目的は、作業が容易で確実に設置することが可能な間仕切り部材およびこれを用いた間仕切りを提供することにある。
【０００５】
【課題を解決するための手段】
請求項１に係る発明は、長手方向に沿って凹溝を設けた支持部材と、前記支持部材の凹溝に嵌入され、前記支持部材の凹溝の壁面に当接する第一脚およびこの第一脚と平行に設けられる第二脚から成る脚部、仕切り部材に当接する保持部、前記支持部材の端面に当接する座部を設けた第一枠部材と、前記第一枠部材と対向して前記支持部材の凹溝に嵌入される脚部、仕切り部材に当接する保持部、前記支持部材の端面に当接する座部を設けた第二枠部材とを備え、前記第一枠部材と前記第二枠部材とは、前記支持部材の凹溝内にそれぞれの脚部を嵌入時に、前記第一枠部材の第一脚が、前記支持部材の凹溝の壁面に圧接し、前記第一枠部材の第二脚が、前記第二枠部材の脚部を前記凹溝に押圧することを特徴とする。
【０００６】
請求項２に係る発明は、請求項１記載の間仕切り部材において、前記第一枠部材は、断面三角形状の本体部と、この本体部に連接する脚部とを有し、前記本体部には、前記保持部と前記座部とが設けられ、前記脚部は、前記保持部の延長上に位置する第一脚と、前記座部の延長上に位置する連結部を介して前記第一脚と平行に設けられた第二脚とを備えていることを特徴とする。
【０００７】
請求項３に係る発明は、請求項１記載の間仕切り部材において、前記第二枠部材は、断面三角形状の本体部と、この本体部に連接する脚部とを有し、前記本体部には、前記保持部と前記座部とが設けられていることを特徴とする。
請求項４に係る発明は、請求項１記載の間仕切り部材において、前記支持部材は、前記凹溝の壁面にＶ字状溝を長手方向に沿って設け、前記第一枠部材は、前記第一脚に前記支持部材の凹溝の壁面に設けたＶ字状溝に嵌入するＶ字状の突条を長手方向に沿って設けるとともに前記第二脚に前記第二枠部材を押圧する突条を長手方向に沿って設け、前記第二枠部材は、前記第二脚の突条により押圧されて前記凹溝に圧接する球形状の突条を先端部に長手方向に沿って設けていることを特徴とする。
【０００８】
請求項５に係る発明は、請求項１ないし請求項４の何れか１項記載の間仕切り部材と、仕切り部材とを備え、前記仕切り部材は、前記支持枠部材の凹溝に脚部を嵌入した前記第一枠部材の保持部と、前記第一枠部材の反対側の凹溝に脚部を圧入して組み付けられる前記第二枠部材の保持部とで挟持されていることを特徴とする。
【０００９】
請求項６に係る発明は、請求項１ないし請求項４の何れか１項記載の間仕切り部材と、仕切り部材とを備え、前記支持部材は、天井側および床側に配されるとともに所定の間隔で天井側と床側との間に格子状に配され、天井側および床側との交点が前記凹溝間に連結金具を取り付けることにより連結され、前記第一枠部材および前記第二枠部材は、組付時にコーナ部において接合するように両端部が４５度に斜めに切断されるとともに、組付時にコーナ部において前記連結金具と当接しないようにそれぞれの脚部が切除され、前記仕切り部材は、前記支持枠部材の凹溝に脚部を嵌入した前記第一枠部材の保持部と、前記第一枠部材の反対側の凹溝に脚部を圧入して組み付けられる前記第二枠部材の保持部とで挟持されていることを特徴とする。
【００１０】
請求項７に係る発明は、請求項５または請求項６記載の間仕切りにおいて、前記仕切り部材は、ガラスまたはプラスチックであることを特徴とする。
【００１１】
【発明の実施の形態】
以下、本発明を図面に示す実施形態に基づいて説明する。
図１ないし図５は、本発明の一実施形態に係る間仕切り部材Ａおよびこれを用いた間仕切りＢを示す（請求項１ないし請求項４、請求項６，請求項７に対応する）。
本実施形態に係る間仕切り部材Ａは、長手方向に沿って凹溝１２を設けた支持部材１０と、支持部材１０の凹溝１２に嵌入する脚部２２を長手方向に沿って設けた第一枠部材２０と、第一枠部材２０と対向して支持部材１０の凹溝１２に嵌入する脚部３２を長手方向に沿って設けた第二枠部材３０とで構成されている。
【００１２】
支持部材１０、第一枠部材２０および第二枠部材３０は、例えば、アルミニウムの引抜材または押出し材で構成されている。支持部材１０は、天井側の枠部材、床側の枠部材および壁の間柱の機能を持つのに十分な剛性を有する構造体である。
支持部材１０は、中空の箱断面形状を為す本体部１１と、本体部１１の中央部に位置するとともに、支持部材１０の長手方向に沿って設けられ一対の凹溝１２とを備えている。本実施形態では、支持部材１０は、天井側枠部材、床側枠部材および間柱として使用される。
【００１３】
凹溝１２の壁面１３，１３には、２条のＶ字状溝１４，１４が所定の間隔を隔てて凹溝１２の全長に亘って長手方向に沿って設けられている。
第一枠部材２０は、断面三角形状の本体部２１と、この本体部２１に連接し支持部材１０の凹溝１２に嵌入する脚部２２とで構成されている。本実施形態では、第一枠部材２０は、天井側枠部材、床側枠部材および間柱に対して額縁状に組み付けられる。
【００１４】
本体部２１は、仕切り部材４０に当接する保持部２５と、支持部材１１の端面１２に当接する座部２６とを備えている。
保持部２５は、本体部２１の壁部２１ａの先端部側に長手方向に沿って形成された突条により形成されている。保持部２５が壁部２１ａより突出しているので、保持部２５によって仕切り部材４０を挟み込む場合に、仕切り部材４０の収まり、固定がし易くなるように機能する。また、アルミニウム型枠材の製作誤差を吸収する機能も果たしている。
【００１５】
座部２６は、本体部２１の壁部２１ａと直交する壁部２１ｂの先端部側に長手方向に沿って形成された突条により形成されている。座部２６は、壁部２１ｂより突出しているので、支持部材１０の壁面１１ａへの当たりを調整するように機能する。
脚部２２は、保持部２５の延長方向に平行して位置し、支持部材１０の凹溝１２の壁面１３に当接する第一脚２３と、座部２６の延長方向に平行して位置する連結部２７を介して第一脚２３と平行に設けられる第二脚２４で構成されている。
【００１６】
第一脚２３には、根本側の外面側に支持部材１０の凹溝１２の壁面１３，１３に設けたＶ字状溝１４，１４に嵌入するＶ字状の突条２３ａ，２３ａを長手方向に沿って設け、先端側に球形状の突条２３ｂを設けている。
第二脚２４は、連結部２７にＲ形状の曲がり部２４ａを介して連結し、先端部側に第二枠部材３０を押圧する突条２４ｂを外面側の長手方向に沿って設けている。Ｒ形状の曲がり部２４ａは、第二枠部材３０の脚部３２を組付時に受け止める機能を発揮する。
【００１７】
第二枠部材３０は、第一枠部材２０の本体部２１とほぼ同形状を為す断面三角形状の本体部３１と、この本体部３１に連接する脚部３２とで構成されている。
本体部３１は、仕切り部材４０に当接する保持部３５と、支持部材１１の端面１２に当接する座部３６とを備えている。
保持部３５は、本体部３１の壁部３１ａの先端部側に長手方向に沿って形成された突条により形成されている。保持部３５が壁部３１ａより突出しているので、保持部３５によって仕切り部材４０を挟み込む場合に、仕切り部材４０の収まり、固定がし易くなるように機能する。また、アルミニウム型枠材の製作誤差を吸収する機能も果たしている。
【００１８】
座部３６は、本体部３１の壁部３１ａと直交する壁部３１ｂの先端部側に形成された突条により形成されている。座部３６は、壁部３１ｂより突出しているので、支持部材１０の壁面１１ａへの当たりを調整するように機能する。
脚部３２は、組付時に第一枠部材２０の第二脚２４に設けた突条２４ｂにより支持部材１０の凹溝１２の壁面１３へ押圧される球形状の突条３３を先端部に長手方向に沿って設けている。
【００１９】
仕切り部材４０は、例えば、ガラス、プラスチックなどの薄板である。
次に、斯くして構成された本実施形態に係る間仕切り部材Ａを用いた間仕切りＢを説明する。
先ず、図３に示すように、天井側に支持部材１０から成る天井枠部材１０Ａおよび床側に支持部材１０から成る床枠部材１０Ｂを取り付ける。
【００２０】
次に、図３に示すように、支持部材１０から成る間柱１０Ｃを、天井枠部材１０Ａと床枠部材１０Ｂとの間に所定の間隔で取り付ける。
この取付は、図４に示すように、天井枠部材１０Ａおよび床枠部材１０Ｂの凹溝１２内にそれぞれ小型のアングル材５０，５０を配置し、その一端部をビス５１により取り付け、小型のアングル材５０，５０の他端部を間柱１０Ｃの凹溝１２内に挿入しビス５１により取り付けることにより行われる。
【００２１】
次に、図５（ａ）および図５（ｂ）に示すように、天井枠部材１０Ａ、床枠部材１０Ｂおよび間柱１０Ｃの凹溝１２に第一枠部材２０の脚部２２を挿入し、第一脚２３の側壁に設けた２つの突条２３ａ，２３ａを凹溝１２の壁面に形成した２つのＶ字状溝１４，１４に嵌入させる。
この際、座部２６が支持部材１０の壁面１１ａ上に載置される。
【００２２】
また、第一枠部材２０の両端部１０ａは、図４に示すように、コーナ部５５での組付が確実に行われるように、４５度に切り欠いてある。
また、脚部２２もコーナ部５５において、小型のアングル材５０，５０が取り付けられる部位では点線で示すように切り欠いてある。
次に、図５（ｂ）および図５（ｃ）に示すように、仕切り部材４０を第一枠部材２０側に配し、連結部２７に当接しないように保持部２５に当接した状態に保持する。
【００２３】
次に、図５（ｄ）に示すように、第一枠部材２０の反対側に第二枠部材３０を配し、第二枠部材３０の脚部３２を第一枠部材２０の脚部２２と支持部材１０の凹溝１２との隙間を介して凹溝１２方向へ回動しながら圧入する。第二枠部材３０の脚部３２の圧入により第一枠部材１０の連結部２７と第二脚２４との間に位置するＲ形状の曲がり部２４ａが第二脚２４を第一脚２３側へ押しやりながら、第二枠部材３０の脚部３２の嵌入を助け、第二脚２４の先端部に設けた突条２４ｂの位置に第二枠部材３０の球形状の突条３３が来ると、第二脚２４の復元力によるバネ力で球形状の突条３３が凹溝１２の壁面１３に押し付けられる。この時点で、図２および図５（ｅ）に示すように、第二枠部材３０の座部３６が支持部材１０の壁面１１ａに当接し、第二枠部材３０が第一枠部材２０と平行になり、保持部３５を仕切り部材４０に当接し、両者の保持部２５，３５によって仕切り部材４０を挟持する。
【００２４】
なお、第二枠部材３０の両端部（図示せず）は、第一枠部材２０の両端部１０ａと同様に、コーナ部５５での組付が確実に行われるように、４５度に切り欠いてある。
また、脚部３２もコーナ部５５において、第一枠部材２０の脚部２２と同様に、小型のアングル材５０，５０が取り付けられる部位では点線で示すように切り欠いてある。
以上により、図２および図５（ｅ）に示すように、仕切り部材４０の取付が完了する。
【００２５】
所定数の仕切り部材４０を同様にして組み付けることにより、目的とする間仕切りＢが構築される。
以上のように、本実施形態によれば、天井枠部材１０Ａと床枠部材１０Ｂとの間に間柱１０Ｃを格子状に配置し、天井枠部材１０Ａ、床枠部材１０Ｂおよび間柱１０Ｃで構成する格子部に、ガラス、プラスチックなどの薄板から成る仕切り４０を第一枠部材２０と第二枠部材３０とで挟み込んで組み付け、固定するので、シール材、接着剤、固定ビスなどを用いることなく簡単に構築することができる。
【００２６】
また、第一枠部材２０は、第一脚２３の側部に設けた突条２３ａ，２３ａを凹溝１２の壁面１３に形成したＶ字状溝１４，１４に嵌入し、第二枠部材３０は、係合状態にある第一枠部材２０を後から圧入して脚部３２による押圧力で突条２３ａ，２３ａとＶ字状溝１４，１４との係合を強固に保持することができるので、両者は抜けることがない。しかも、その押圧力により、第一枠部材２０の保持部２５と第二枠部材３０の保持部３５とに仕切り部材４０を押圧する力を付与することができる。
【００２７】
また、解体持には、第二枠部材３０を圧入持とは逆方向に回動させることにより、第二枠部材３０を凹溝１２から抜き出すことができる。従って、室内の生産装置の変更やレイアウトの変更などに対し、間仕切りの変更を行うことは、比較的容易に行うことが可能である。
なお、上記実施形態では、支持部材１０により天井枠部材１０Ａおよび床枠部材１０Ｂを構成する場合について説明したが、天井枠部材１０Ａおよび床枠部材１０Ｂを通常の枠部材としても良い（請求項５）。
【００２８】
【発明の効果】
本発明によれば、間仕切り部材をシール材、接着剤、固定ビスなどを用いることなく簡単に構築することができるので、間仕切りを簡便に確実に設置することが可能となる。
また、本発明によれば、透明なガラス、プラスチックなどの仕切り部材を簡便、安価に設置することが可能となった。
【図面の簡単な説明】
【図１】
本発明の一実施形態に係る間仕切り部材および間仕切りを示す分解図である。
【図２】
本発明の一実施形態に係る間仕切り部材および間仕切りの組付状態を示す端面図である。
【図３】
本発明の一実施形態に係る間仕切りを示す説明図である。
【図４】
図３における支持部材の接合部を示す拡大図である。
【図５】
本発明の一実施形態に係る間仕切りの構築状況を示す説明図である。
【符号の説明】
Ａ  間仕切り部材
Ｂ  間仕切り
１０  支持部材
１０Ａ  天井枠部材
１０Ｂ  床枠部材
１０Ｃ  間柱
１１，２１，３１  本体部
１１ａ，１３  壁面
１２  凹溝
１４  Ｖ字状溝
２０  第一枠部材
２１ａ，２１ｂ，３１ａ，３１ｂ  壁部
２２，３２  脚部
２３  第一脚
２３ａ，２３ｂ，２４ｂ，３３  突条
２４  第二脚
２４ａ  曲がり部
２５，３５  保持部
２６，３６  座部
２７  連結部
３０  第二枠部材
４０  仕切り部材
５０  アングル材
５１  ビス
５５  コーナ部